(57)【要約】【課題】医療用容器を加圧及び冷却して、医療用容器内の液体を患者の体内に注入することができる多用途型加圧バッグを提供する。【解決手段】多用途型加圧バッグ１０は、液体が保存された医療用容器１００及び前記液体を冷却するための冷却剤２００を保持する保持部２と、気体供給手段５が接続され、前記気体供給手段５により気体が供給されて膨張する加圧部３と、を備え、前記加圧部３は、前記保持部２に保持される前記医療用容器１００を加圧する。【選択図】図１
2014236925.tif 000002
【特許請求の範囲】
【請求項１】
液体が保存された医療用容器及び前記液体を冷却するための冷却剤を保持する保持部と、
気体供給手段が接続され、前記気体供給手段により気体が供給されて膨張する加圧部と、
を備え、
前記加圧部は、前記保持部に保持される前記医療用容器を加圧することを特徴とする多用途型加圧バッグ。
【請求項２】
前記保持部は、ポケット状に形成されることを特徴とする請求項１に記載の多用途型加圧バッグ。
【請求項３】
前記保持部の下部には、開口部が設けられることを特徴とする請求項２に記載の多用途型加圧バッグ。
【請求項４】
前記保持部と別体に形成された補助袋を更に備え、
前記補助袋は、前記医療用容器及び前記冷却剤が収納された状態で保持部により保持されることを特徴とする請求項１〜３のいずれかに記載の多用途型加圧バッグ。
【請求項５】
前記保持部の下部には、可視部が設けられることを特徴とする請求項１〜４のいずれかに記載の多用途型加圧バッグ。
【請求項６】
前記加圧部の圧力を計測するための圧力計測手段が、前記加圧部と着脱可能に設けられることを特徴とする請求項１〜５のいずれかに記載の多用途型加圧バッグ。
【請求項７】
前記バッグ本体は、前記保持部の一方の端部及び前記加圧部の一方の端部が連設され、且つ前記保持部の他方の端部及び前記加圧部の他方の端部が連設されてなることを特徴とする請求項１〜６のいずれかに記載の多用途型加圧バッグ。
【請求項８】
前記医療用容器は、前記冷却剤で両側から挟み込まれて保持されることを特徴とする請求項１〜７のいずれかに記載の多用途型加圧バッグ。
【請求項９】
前記医療用容器及び前記冷却剤をそれぞれ収納可能な複数の収納部が隣接して設けられることを特徴とする請求項１〜８のいずれかに記載の多用途型加圧バッグ。
【請求項１０】
前記隣接する収納部の開口端部の高さ位置が、異なる高さ位置に設定されることを特徴とする請求項９に記載の多用途型加圧バッグ。
【請求項１１】
液体が保存された医療用容器及び前記液体を冷却するための冷却剤を保持する保持部と、
前記保持部に保持される前記医療用容器を加圧する加圧部と、
前記加圧部に接続され、前記加圧部に気体を供給して膨張させる気体供給手段と、
を備えることを特徴とする液体注入システム。
【発明の詳細な説明】
【技術分野】
【０００１】
本発明は、医療用容器を保持して、医療用容器内の液体を体内に注入することができる多用途型加圧バッグに関する。
【背景技術】
【０００２】
従来、輸液或いは輸血などを行う場合に、輸液或いは血液などの液体が保存された医療用容器を患者の上方に吊下げ、重力を利用して患者の体内に液体を注入する方法、手動でチャンバーに気体を送って輸液袋を加圧し、患者の体内に液体を注入する方法、或いは電動式の輸液ポンプを用いて患者の体内に液体を注入する方法などが提案されている（例えば、特許文献１，２）。
【０００３】
ところで近年、低体温療法が注目されており、その導入手段は幾つかあるが、電動式の冷却装置などで所定の温度まで冷却させた輸液或いは血液を患者に注入する方法がある。
【先行技術文献】
【特許文献】
【０００４】
【特許文献１】特開２００２−２３９００２号公報
【特許文献２】特開平９−３８２０３号公報
【発明の概要】
【発明が解決しようとする課題】
【０００５】
しかしながら、例えば、病院施設以外の救急搬送用車両内など電源の確保できない場所や停電時などでは、十分な電力が得られないため、電動式の冷却装置などを用いて輸液或いは血液を冷却させて患者に注入することは困難である。
【０００６】
このような十分な電力が得られない場所や状況であっても、電力を必要としない簡単な構成で、冷却させた輸液或いは血液を患者に注入することができるものが望まれている。
【課題を解決するための手段】
【０００７】
本発明は、上述した技術背景に鑑み、医療用容器を加圧及び冷却して、医療用容器内の液体を患者の体内に注入することができる多用途型加圧バッグの提供を目的とする。
【０００８】
即ち、本発明は下記［１］〜［１１］に記載の構成を有する。
【０００９】
［１］  液体が保存された医療用容器及び前記液体を冷却するための冷却剤を保持する保持部と、
気体供給手段が接続され、前記気体供給手段により気体が供給されて膨張する加圧部と、
を備え、
前記加圧部は、前記保持部に保持される前記医療用容器を加圧することを特徴とする多用途型加圧バッグ。
【００１０】
［２］  前記保持部は、ポケット状に形成されることを特徴とする前項１に記載の多用途型加圧バッグ。
【００１１】
［３］  前記保持部の下部には、開口部が設けられることを特徴とする前項２に記載の多用途型加圧バッグ。
【００１２】
［４］  前記保持部と別体に形成された補助袋を更に備え、
前記補助袋は、前記医療用容器及び前記冷却剤が収納された状態で保持部により保持されることを特徴とする前項１〜３のいずれかに記載の多用途型加圧バッグ。
【００１３】
［５］  前記保持部の下部には、可視部が設けられることを特徴とする前項１〜４のいずれかに記載の多用途型加圧バッグ。
【００１４】
［６］  前記加圧部の圧力を計測するための圧力計測手段が、前記加圧部と着脱可能に設けられることを特徴とする前項１〜５のいずれかに記載の多用途型加圧バッグ。
【００１５】
［７］  前記バッグ本体は、前記保持部の一方の端部及び前記加圧部の一方の端部が連設され、且つ前記保持部の他方の端部及び前記加圧部の他方の端部が連設されてなることを特徴とする前項１〜６のいずれかに記載の多用途型加圧バッグ。
【００１６】
［８］  前記医療用容器は、前記冷却剤で両側から挟み込まれて保持されることを特徴とする前項１〜７のいずれかに記載の多用途型加圧バッグ。
【００１７】
［９］  前記医療用容器及び前記冷却剤をそれぞれ収納可能な複数の収納部が隣接して設けられることを特徴とする前項１〜８のいずれかに記載の多用途型加圧バッグ。
【００１８】
［１０］  前記隣接する収納部の開口端部の高さ位置が、異なる高さ位置に設定されることを特徴とする前項９に記載の多用途型加圧バッグ。
【００１９】
［１１］  液体が保存された医療用容器及び前記液体を冷却するための冷却剤を保持する保持部と、
前記保持部に保持される前記医療用容器を加圧する加圧部と、
前記加圧部に接続され、前記加圧部に気体を供給して膨張させる気体供給手段と、
を備えることを特徴とする液体注入システム。
【発明の効果】
【００２０】
上記［１］に記載の発明によれば、液体が保存された医療用容器及び液体を冷却するための冷却剤を保持する保持部と、気体供給手段が接続され、気体供給手段により気体が供給されて膨張する加圧部と、を備え、加圧部は、保持部に保持される医療用容器を加圧するので、救急搬送先などの十分に電力を得られない場所であっても冷却剤によって液体の冷却をすることができる上、加圧部で医療用容器を加圧させることによって、冷却した液体の滴下量を調整して患者に注入することができる。
【００２１】
また、医療用容器及び冷却剤を保持部に保持するだけの簡単な構造であるので、取り扱いが比較的容易である上、安価である。
【００２２】
上記［２］に記載の発明によれば、保持部は、ポケット状に形成されるので、保持部に入れられた医療用容器及び冷却剤が保持部の下方から落ちる心配がなく、セットし易い。
【００２３】
上記［３］に記載の発明によれば、保持部の下部には、開口部が設けられるので、医療用容器の一部突出した部位（排出口や注入用チューブなど）が多用途型加圧バッグの開口部から外部に露出した状態で保持することができて邪魔にならず、例えば、医療用容器の排出口に輸液チューブのコネクタを接続するなどの液体注入に伴う作業が行い易くなる。
【００２４】
上記［４］に記載の発明によれば、保持部と別体に形成された補助袋を更に備え、補助袋は、医療用容器及び冷却剤が収納された状態で保持部により保持されるので、予め補助袋に収納しておいた医療用容器及び冷却剤を、補助袋ごと保持部に保持させることができ、医療用容器の中身が少なくなった際の交換作業なども容易に行うことができる。
【００２５】
上記［５］に記載の発明によれば、保持部の下部には、可視部が設けられるので、医療用容器を保持部から取り出すまでもなく、可視部から目視で医療用容器の残量を確認することができるようになる。
【００２６】
上記［６］に記載の発明によれば、加圧部の圧力を計測するための圧力計測手段が、加圧部と着脱可能に設けられるので、医療用容器の残量が少なくなった場合などには圧力計測手段を取り外して、新しく用意された医療用容器及び冷却剤を保持した多用途型加圧バッグに圧力計測手段を付け替えて使用することができるようになる。
【００２７】
また、多用途型加圧バッグがディスポーザブル品であっても、圧力計測手段が取り外せるので無駄になることがなく、高精度の圧力計測手段を採用するにも適している。
【００２８】
上記［７］に記載の発明によれば、バッグ本体は、保持部の一方の端部及び加圧部の一方の端部が連設され、且つ保持部の他方の端部及び加圧部の他方の端部が連設されてなるので、バッグ本体の自由端となる側の両端部に医療用容器及び冷却剤を保持するためのマチを設けることができ、加圧部に気体が供給されて保持部を加圧する際に加圧部が膨張する妨げとなり難い。
【００２９】
また、保持部の端部と加圧部の端部をそれぞれ連設するだけで形成できるので、バッグ本体の形成が容易である。
【００３０】
上記［８］に記載の発明によれば、医療用容器は、冷却剤で両側から挟み込まれて保持されるので、医療用容器内の液体に対する冷却速度が向上するだけでなく、部分的な冷却の偏りなどが生じ難くなる。
【００３１】
上記［９］に記載の発明によれば、医療用容器及び冷却剤をそれぞれ収納可能な複数の収納部が隣接して設けられるので、医療用容器及び冷却剤を個別に収納できるため収納し易く、収納部が隣接して設けられているので、医療用容器と冷却剤を密着させて収納することができる。
【００３２】
上記［１０］に記載の発明によれば、隣接する収納部の開口端部の高さ位置が、異なる高さ位置に設定されるので、医療用容器及び冷却剤をそれぞれ挿入する隣接した収納部の開口端部の高さ位置が異なることによって、収納部の開口位置を認識し易くなり、医療用容器及び冷却剤を補助袋に挿入する操作が容易になる。
【００３３】
上記［１１］に記載の発明によれば、液体が保存された医療用容器及び液体を冷却するための冷却剤を保持する保持部と、保持部に保持される医療用容器を加圧する加圧部と、加圧部に接続され、加圧部に気体を供給して膨張させる気体供給手段と、を備えるので、救急搬送先などの十分に電力を得られない場所であっても冷却剤によって液体の冷却をすることができる上、加圧部で医療用容器を加圧させることによって、冷却した液体の滴下量を調整して患者に注入することができる。
【００３４】
また、医療用容器及び冷却剤を保持部に保持するだけの簡単な構造であるので、取り扱いが比較的容易である上、安価である。
【図面の簡単な説明】
【００３５】
【図１】本発明に係る多用途型加圧バッグの構成を説明するための説明図である。
【図２】本発明に係る多用途型加圧バッグについて説明するための説明図である。
【図３】本発明に係る補助袋について説明するための説明図である。
【図４】本発明に係る多用途型加圧バッグに補助袋を保持した状態を説明するための説明図である。
【発明を実施するための形態】
【００３６】
以下、図面を参照して、本発明の実施形態について説明する。
【００３７】
図１は、多用途型加圧バッグ１０の構成を説明するための説明図、図２は、多用途型加圧バッグ１０について説明するための説明図、図３は、補助袋７について説明するための説明図、図４は、多用途型加圧バッグ１０に補助袋７を保持した状態を説明するための説明図である。
【００３８】
図１〜４に示す多用途型加圧バッグである加圧式冷却バッグ１０は、輸液或いは血液などの液体が保存された医療用容器１００などを保持可能に構成され、電力を使うことなく加圧及び冷却して医療用容器１００内の液体を患者の体内に注入するための医療用加圧バッグであり、電源の確保できない場所における作業や停電時などにおける作業など多用途に用いられる。
【００３９】
以降では、液体が輸液である場合について説明する。
【００４０】
医療用容器１００は、液体が充填、保存された容器本体１０１と、容器本体１０１内部に液体を注入するための注入用チューブ１０２と、容器本体１０１内部の液体を排出するための排出口１０３と、を備え、合成樹脂などの可撓性の素材からなる容器である。
【００４１】
排出口１０３は、キャップで被冠されており、キャップが取り外された排出口１０３に輸液チューブのコネクタが連結接続されることにより、輸液チューブを介して医療用容器１００内の液体が外部に排出されるようになっている。
【００４２】
加圧式冷却バッグ１０は、液体が保存された医療用容器１００及び液体を冷却するための冷却剤２００を保持する保持部２と、気体供給手段５が接続され、気体供給手段５により気体が供給されて膨張する加圧部３と、を備えたバッグ本体１からなる。
【００４３】
保持部２及び加圧部３は、例えば、可撓性素材で形成されてなり、供給された気体により膨張した加圧部３が、保持部２に保持される医療用容器１００を加圧するように構成されている。
【００４４】
尚、医療用容器１００内の液体を冷却するための冷却剤２００としては、例えば、硝酸アンモニウムが水に溶解することによって生じる吸熱反応などを利用して冷却するものを用いるのが好適であるが、これに限定されるものではなく、医療用容器１００内の液体を冷却できるものであればよい。
【００４５】
加圧部３は、例えば、重ねられた方形のシート状素材の周囲が閉じ合わされて中空に形成され、形成された内部空間３３に空気などの気体が供給されることによって膨張するように構成されている。
【００４６】
加圧部３の下部には、外部から加圧部３の内部空間３３へ供給される気体の通気路となる通気接続管３２が設けられ、通気接続管３２の先端には、後述する気体供給手段５に設けられたエアホース５１に連結可能な接続部３１が設けられている。
【００４７】
接続部３１は、エアホース５１の一端に設けられた連結部５１ａと連結され、加圧部３の通気接続管３２と気体供給手段５のエアホース５１との連結を解除する場合には、連結部５１ａに設けられた接続解除用ボタンを押下することでエアホース５１との連結を解除する。
【００４８】
加圧部３は、接続部３１によって連結されたエアホース５１及び通気接続管３２を介して後述する気体供給手段５から気体が供給され、供給された気体により膨張した加圧部３が保持部２に保持された医療用容器１００を加圧する。
【００４９】
加圧部３は、気体が供給されて膨張するように構成されているため、ポリエステルなどの不織布など、可撓性に加えて高い強度を有する素材が用いられることが好ましい。
【００５０】
加圧部３の左右端部のうち一方の端部は、保持部２の一方の端部と連設され、加圧部３の他方の端部は保持部２の他方の端部と連設され、連設された加圧部３及び保持部２は、その間に隙間４を有した上下方向に開口する筒状に形成されている。
【００５１】
保持部２は、医療用容器１００及び冷却剤２００が挿入される挿入口２２を上部に有し、例えば、有底のポケット状に形成されている。
【００５２】
保持部２の少なくとも外側面は、メッシュなど透け感のある素材を用いて形成されることが好ましく、これにより、保持する医療用容器１００の状態、例えば、医療用容器１００内の液体の残量を加圧式冷却バッグ１０の外面から目視確認しやすいように構成されている。
【００５３】
保持部２は、保持部２の下部の幅方向中間位置の一部に開口部２１を設け、医療用容器１００が上方の挿入口２２から保持部２の奥底まで挿入されると、医療用容器１００の排出口１０３や注入用チューブ１０２などが当該開口部２１から突出するように構成されている。
【００５４】
尚、開口部２１が設けられる位置は、上述したものに限定されるものではなく、保持する医療用容器１００の形状に適宜対応する位置に設けられるとよい。
【００５５】
保持部２の下部に開口部２１が設けられることにより、医療用容器１００の一部突出した部位（本実施例では、排出口１０３や注入用チューブ１０２など）が加圧式冷却バッグ１０の開口部２１から外部に露出した状態で保持することができて邪魔にならず、例えば、医療用容器１００の排出口１０３に輸液チューブのコネクタを接続するなどの液体注入に伴う作業が行い易くなる。
【００５６】
保持部２は、医療用容器１００だけでなく、医療用容器１００のサイズと略同等であり、医療用容器１００の液体を冷却する冷却剤２００をも同時に保持可能な寸法に設定されている。
【００５７】
保持部２は、ポケット状に形成されるので、保持部２に入れられた医療用容器１００及び冷却剤２００が保持部２の下方から落ちる心配がなく、セットし易い。
【００５８】
保持部２の下部には、保持部２の内部を視認するための可視部２３が設けられており、医療用容器１００をわざわざ保持部２から取り出すまでもなく、保持部２に保持された医療用容器１００の残量が視認できるようになっている。
【００５９】
可視部２３は、透明或いは半透明のビニル樹脂などの合成樹脂により形成されている。
【００６０】
可視部２３は、例えば、医療用容器１００の排出口１０３を含めた下端部の一部を視認できるように、医療用容器１００の排出口１０３を突出するように保持する保持部２の開口部２１を含めた保持部２の下端部から約４ｃｍ以上の範囲を目視可能な範囲とする、即ち、医療用容器１００の容器本体１０１の少なくとも下端部の一部が目視可能な範囲に設定される。
【００６１】
尚、少なくとも可視部２３から保持部２に保持される医療用容器１００の残量が視認できるように構成されていれば、可視部２３の形状及びその素材については特に限定されるものではない。
【００６２】
更に、保持部２には、その外側面の上端中央近傍に吊下部材２４が設けられている。
【００６３】
吊下部材２４は、例えば、布帛からなり、フックなどに掛けて加圧式冷却バッグ１０を吊下げられるように構成されている。
【００６４】
尚、医療用容器１００及び冷却剤２００を入れた加圧式冷却バッグ１０をフックなどに吊下げた際に安定するので、保持部２の外側面の上端中央近傍に設けられることが好ましいが、この構成に限定されるものではない。
【００６５】
また、吊下部材２４の素材についても特に限定されるものではない。
【００６６】
気体供給手段５は、加圧部３に設けられた接続部３１と接続される連結部５１ａを有するエアホース５１と、エアホース５１の連結部５１ａを有しない側の端部に送気球５２を備える。
【００６７】
例えば本実施例では、気体供給手段５は、加圧部３に着脱可能に取り付けられるように構成され、エアホース５１を介して加圧部３の内部空間３３に気体を供給する。
【００６８】
送気球５２は、公知の加圧式の送気用ゴム気球であり、その詳細な説明は省略するが、送気球５２の操作がなされることによって、エアホース５１を介して加圧部３の内部空間３３に気体が供給される。
【００６９】
送気球５２の一部には、例えば、金属製の板状体５３が設けられており、送気球５２を当該板状体５３ごと握って操作することにより、送気球５２のみを握って操作するよりも操作し易くなっている。
【００７０】
板状体５３は、送気球５２の曲率に対応したカーブを有して設けられることが好ましく、そのように構成されることにより、送気球５２を握って操作するにあたり、より操作し易い形状となる。
【００７１】
送気球５２から加圧部３へ伸びるエアホース５１は、加圧部３の内部に気体が供給されるための経路となる供給経路と、加圧部３の内部に溜められた気体を抜くための経路となる排気経路とを兼用した構成となっている。
【００７２】
また、エアホース５１の連結部５１ａを有しない側の端部には、気体供給手段５と共に、加圧部３の圧力を計測するための圧力計測手段６が設けられている。
【００７３】
圧力計測手段６は、表示部６１を有する圧力計測器を備えて構成されており、加圧式冷却バッグ１０の使用者が、圧力計測手段６で計測された現在の圧力値を表示部６１で確認しながら、送気球５２を操作して加圧部３に気体を供給することができる。
【００７４】
圧力計測手段６は、加圧部３の接続部３１とエアホース５１との接続が解除されてエアホース５１が取り外されると、気体供給手段５と共にバッグ本体１から取り外された状態となる。
【００７５】
加圧部３の圧力を計測するための圧力計測手段６が、加圧部３と着脱可能に設けられるので、医療用容器１００の残量が少なくなった場合などに、新しく用意された医療用容器１００及び冷却剤２００を保持したバッグ本体１に圧力計測手段６を付け替えて使用することができるようになる。
【００７６】
また、バッグ本体１がディスポーザブルであっても、圧力計測手段６が取り外せるので無駄になることがなく、高精度の圧力計測手段６を採用するにも適している。
【００７７】
圧力計測手段６は、例えば、回転操作することにより加圧部３の内部空間３３への気体の供給及び排出の経路を切り替え可能な気体排出操作部を設けている。
【００７８】
圧力計測手段６に設けられた気体排出操作部は、開操作することにより排気経路に切り替えられて加圧部３に供給された気体が排出され、閉操作することにより供給経路に切り替えられて加圧部３に供給された気体が排出されないように構成されている。
【００７９】
（使用方法）
図１，２に基づいて、加圧式冷却バッグ１０の使用方法について説明する。
【００８０】
先ず初めに、バッグ本体１の加圧部３には気体が供給されていない状態としておく。
【００８１】
加圧部３の接続部３１に気体供給手段５のエアホース５１を接続して、気体供給手段５及び圧力計測手段６をバッグ本体１と接続させる。
【００８２】
医療用容器１００を２つの冷却剤２００で両外側から挟み込むようにして保持部２で保持し、この時、医療用容器１００の排出口１０３及び注入用チューブ１０２が、保持部２の下部に設けられた開口部２１から露出するようにして保持する。
【００８３】
医療用容器１００が冷却剤２００で両側から挟み込まれて保持されるので、医療用容器１００内の液体に対する冷却速度が向上するだけでなく、部分的な冷却の偏りなどが生じ難くなる。
【００８４】
開口部２１から露出した排出口１０３には、輸液用針の設けられた輸液チューブのコネクタを接続しておく。
【００８５】
加圧式冷却バッグ１０に医療用容器１００及び冷却剤２００が適切に保持されると、気体供給手段５の送気球５２を操作して加圧部３の内部空間３３に気体を供給し、図２の２点鎖線で示すように加圧部３を膨張させる。
【００８６】
バッグ本体１が、保持部２の一方の端部及び加圧部３の一方の端部が連設され、且つ保持部２の他方の端部及び加圧部３の他方の端部が連設されてなるので、バッグ本体１の自由端となる側の両端部に医療用容器１００及び冷却剤２００を保持するためのマチを設けることができ、加圧部３に気体が供給されて保持部２を加圧する際に、加圧部３が膨張する妨げとなり難い。また、保持部２の端部と加圧部３の端部をそれぞれ連設するだけで形成できるので、バッグ本体１の形成が容易である。
【００８７】
送気球５２の操作量は、エアホース５１に接続された圧力計測手段６の表示部６１に示された計測結果に基づいて決定すればよい。
【００８８】
加圧部３が膨張することにより保持部２に保持された医療用容器１００が圧迫され、医療用容器１００から押し出された液体が、排出口１０３に接続された輸液チューブに流れ込み、患者の体内に注入される。
【００８９】
以上に説明した使用方法は一例であり、この順序に限定されるものではない。また、気体供給手段５及び圧力計測手段６の構成についても、上述したものに限定されるものではない。
【００９０】
（第２実施形態）
加圧式冷却バッグ１０は、上述した構成に加えて、保持部２と別体に形成された補助袋７を更に備えて構成されるのであってもよい。
【００９１】
例えば、加圧式冷却バッグ１０が、ビニル樹脂などの合成樹脂からなるシートの周囲端部を融着するなどして、上部のみが開口した袋状に形成された補助袋７を備えるように構成する。
【００９２】
補助袋７に用いられるシートは、視認性をより高めるため透明であることが好ましいが、半透明のシートが用いられるのであってもよい。
【００９３】
図３，４に示すように、補助袋７は、隣接する３つの収納部７１，７２，７３に仕切られており、各収納部７１，７２，７３一つに対して医療用容器１００或いは冷却剤２００をそれぞれ１つずつ収納することができるように構成される。
【００９４】
補助袋７は、医療用容器１００を収納する内側収納部７２と、その両外側に冷却剤２００を収納する２つの外側収納部７１，７３を設けている。
【００９５】
医療用容器１００及び冷却剤２００が収納された補助袋７は、そのままの状態で保持部２に挿入して保持することができる。
【００９６】
補助袋７の隣接する各収納部７１，７２，７３の開口端部は、医療用容器１００及び冷却剤２００を収納部７１，７２，７３に収納し易いように、それぞれ異なる高さに設定される。
【００９７】
例えば、補助袋７は、両外側の２つの収納部７１，７３の開口端部よりも、内側収納部７２の開口端部の高さの方が高くなるように構成されている。
【００９８】
補助袋７は、隣接する収納部７１，７２，７３の開口端部の高さ位置が、異なる高さ位置に設定されるように構成されるので、医療用容器１００及び冷却剤２００をそれぞれ挿入する隣接した収納部７１，７２，７３の開口端部の高さ位置が異なることによって、収納部７１，７２，７３の開口位置を認識し易く、医療用容器１００及び冷却剤２００を補助袋７に挿入する操作が容易になる。
【００９９】
補助袋７の内側収納部７２の下部には、医療用容器１００の排出口１０３や注入用チューブ１０２を補助袋７の外部に露出させるための突出用孔７２１が設けられている。
【０１００】
補助袋７の突出用孔７２１は、補助袋７を保持部２に保持させた際に、保持部２の開口部２１の位置と同等或いは略同等の位置になるように設けられる。
【０１０１】
即ち、医療用容器１００の排出口１０３や注入用チューブ１０２を突出用孔７２１から外部に露出させた状態で補助袋７を保持部２に保持させると、補助袋７から露出した医療用容器１００の排出口１０３や注入用チューブ１０２が、保持部２の開口部２１から露出するように構成されている。
【０１０２】
このように医療用容器１００の排出口１０３や注入用チューブ１０２が補助袋７の突出用孔７２１及び保持部２の開口部２１から露出するように構成されていることにより、医療用容器１００の排出口１０３に輸液チューブのコネクタを接続するなどの作業が容易になる。
【０１０３】
また、医療用容器１００の排出口１０３や注入用チューブ１０２が補助袋７の突出用孔７２１及び保持部２の開口部２１から露出する位置で保持することで、医療用容器１００が補助袋７や保持部２の内部で徒に動いて収納位置及び保持位置が変わってしまう虞が低減し、常に正しい収納位置及び保持位置に医療用容器１００を位置させることができる。
【０１０４】
補助袋７は、例えば、以下のようにして製作することができる。
【０１０５】
１枚の長尺なシートを２つ折りにして、当該シートと同幅で長尺シートの２つ折り長さよりも短い２枚の短尺シートを、長尺シートの輪が形成された端部（下端とする）及びその対向に位置する端部（上端とする）から少し間を空けた位置に左右両端を揃えて、長尺シートの外側両面にそれぞれ重ね合わせる。
【０１０６】
外側に重ね合わせられた短尺シートの下端側を長尺シートの外側面に融着させるなどして、外側収納部７１，７３の底部を形成した後、重ね合わせた全シートの左右両側端部を融着させるなどすることによって袋状に形成される。
【０１０７】
この時、各収納部７１，７２，７３の角部には融着などが行われないことが好ましい。例えば、図３に示すように、収納部７２にゆとりができるよう長尺シートの両端下部の一部（折り返し部分）が融着などされないで、一部が切り離された状態で構成されている。
【０１０８】
気体供給手段５及び圧力計測手段６をバッグ本体１と接続させたバッグ本体１に補助袋７を併せて使用する場合、補助袋７の各収納部７１，７２，７３には、それぞれ開口端部から挿入された医療用容器１００及び冷却剤２００をそれぞれ収納しておけばよい。
【０１０９】
この時、医療用容器１００は、隣接する３つの収納部７１，７２，７３のうちの内側収納部７２に収納され、両外側の収納部７１，７３に冷却剤２００を収納して医療用容器１００を冷却剤２００で挟み込むようにして収納する。
【０１１０】
補助袋７は、医療用容器１００及び冷却剤２００をそれぞれ収納可能な複数の収納部７１，７２，７３が隣接して設けられるので、医療用容器１００及び冷却剤２００を個別に収納できるため収納し易く、収納部７１，７２，７３が隣接して設けられているので、医療用容器１００と冷却剤２００を密着させて収納することができる。
【０１１１】
例えば、内側収納部７２のシートの上部を持ちながら、両外側の収納部７１，７３に冷却剤２００を収納した後、内側収納部７２に医療用容器１００を収納すれば、医療用容器１００及び冷却剤２００の収納が容易にできる。無論、医療用容器１００及び冷却剤２００の補助袋７への収納順序は、これとは逆の順序であってもよい。
【０１１２】
保持部２と別体に形成された補助袋７を更に備え、補助袋７は、医療用容器１００及び冷却剤２００が収納された状態で保持部２により保持されるように構成すれば、予め補助袋７に収納しておいた医療用容器１００及び冷却剤２００を、補助袋７ごと保持部２に保持させることができ、医療用容器１００の中身が少なくなった際の交換作業なども容易に行うことができる。
【０１１３】
第２実施形態の補助袋７を用いた構成では、上述の効果に加えて、補助袋７を用いない第１実施形態と同等の効果を得ることができる。
【０１１４】
医療用容器１００を両側から冷却剤２００で挟み込むように構成すれば医療用容器１００内の液体を最も効率的に冷却できるので最適であるが、これに限定されるものではなく、医療用容器１００内の液体を１つの冷却剤２００で冷却するのであってもよい。
【０１１５】
この場合、医療用容器１００が加圧部３側に配置されるように保持し、冷却剤２００を加圧部３から遠い側に配置されるように保持して使用すると、外部からの熱などの影響を受け難くなり好ましいが、本発明は、冷却剤２００を加圧部３側で保持する構成を排除するものではなく、また、３つ以上の冷却剤２００を用いて医療用容器１００内の液体を冷却する構成を排除するものでもない。
【０１１６】
例えば、医療用容器１００よりも小さい大きさの冷却剤２００を３つ以上使用して冷却する場合には、医療用容器１００及び各冷却剤２００をそれぞれ収納する収納部７１，７２，７３を備えた補助袋７を用いるのであってもよいし、上述した補助袋７の構成と同様に内側収納部７２の両側に設けられた外側収納部７１，７３に複数の冷却剤２００を収納して使用されるのであってもよい。
【０１１７】
更に、医療用容器１００内の液体の冷却が不要となった場合には、医療用容器１００のみを保持部２で保持して、加圧部３で医療用容器１００を加圧することもできる。
【０１１８】
上述では、補助袋７に医療用容器１００及び冷却剤２００を収納して、当該補助袋７を加圧式冷却バッグ１０の保持部２で保持するように説明したが、保持部２に医療用容器１００及び冷却剤２００を収納するための複数の収納部を隣接して設けるのであってもよく、このように構成すれば、医療用容器１００及び冷却剤２００を個別に収納できるため収納し易く、収納部が隣接して設けられているので、医療用容器１００と冷却剤２００を密着させて収納することができる。
【０１１９】
また、保持部２に医療用容器１００及び冷却剤２００をそれぞれ収納可能な隣接する複数の収納部を備える場合には、隣接する収納部の開口端部が異なる高さ位置となるように設定されるのであってもよく、このように構成した場合にも、医療用容器１００及び冷却剤２００をそれぞれ挿入する隣接した収納部の開口端部の高さ位置が異なることによって、収納部の開口位置を認識し易くなり、医療用容器１００及び冷却剤２００を補助袋７に挿入する操作が容易になる。
【０１２０】
上述した説明では、バッグ本体１が上下方向に開口した筒状に形成されるとしたが、保持部２及び加圧部３の上下端部が閉じ合わされた筒状に形成され、医療用容器１００及び冷却剤２００を左右方向から挿入して保持される構成であってもよい。
【０１２１】
上述した医療用容器１００の構成は、一例であり、少なくとも患者の体内に液体を注入するように構成されているものであればよい。また、医療用容器１００内の液体は、上述したような輸液に限定されるものではなく、加圧及び冷却して患者に注入されることが好適な液体であれば特に限定されるものではない。
【０１２２】
保持部２及び加圧部３は、保持部２に保持する医療用容器１００及び冷却剤２００の大きさや加圧部３への気体の供給量などに応じて変形することができるので、可撓性を有する素材で形成されることが好適ではあるが、保持部及び加圧部の一部のみが可撓性を有する素材で形成されているなど、保持部で保持する物の大きさや気体の供給量などに応じて変形するように構成されていれば、その素材について特に限定されるものではない。
【０１２３】
また、本発明品の加圧式冷却バッグ１０は、医療現場などで用いられる医療機器であるため、現場での衛生をより保つために、撥水加工や抗菌加工が施されていること、またディスポーザブル品であることが好ましい。
【０１２４】
以上説明したように、加圧式冷却バッグ１０は、液体が保存された医療用容器１００及び前記液体を冷却するための冷却剤２００を保持する保持部２と、気体供給手段５が接続され、前記気体供給手段５により気体が供給されて膨張する加圧部３と、を備え、前記加圧部３は、前記保持部２に保持される前記医療用容器１００を加圧するので、救急搬送先などの十分に電力を得られない場所であっても冷却剤２００によって液体の冷却をすることができる上、加圧部３で医療用容器１００を加圧させることによって、冷却した液体の滴下量を調整して患者に注入することができる。
【０１２５】
また、医療用容器１００及び冷却剤２００を保持部２に保持するだけの簡単な構造であるので、取り扱いが比較的容易である上、安価である。
【０１２６】
また、液体が保存された医療用容器１００及び液体を冷却するための冷却剤２００を保持する保持部２と、保持部２に保持される医療用容器１００を加圧する加圧部３と、加圧部３に接続され、加圧部３に気体を供給して膨張させる気体供給手段５と、を備える液体注入システムにおいても、上述した加圧式冷却バッグ１０と同様の効果を得ることができる。
【０１２７】
尚、本発明品の加圧式冷却バッグ１０は、電源の確保できない場所や停電時などに好適に使用される非電動式のものであるが、電源の確保されている場所などで使用されるのであってもよく、その他の場所及び状況での使用を排除するものではない。
【０１２８】
以上説明した実施形態は、本発明の一例に過ぎず、本発明の作用効果を奏する範囲において具体的構成などを適宜変更設計できることは言うまでもない。
【符号の説明】
【０１２９】
１…バッグ本体
２…保持部
３…加圧部
５…気体供給手段
６…圧力計測手段
７…補助袋
１０…多用途型加圧バッグ（加圧式冷却バッグ）
２１…開口部
２３…可視部
７１，７２，７３…収納部
１００…液体バッグ
２００…冷却剤
【図１】
2014236925.tif 000003
【図２】
2014236925.tif 000004
【図３】
2014236925.tif 000005
【図４】
2014236925.tif 000006